(57)【要約】ポータブル通信デバイスは、透光性ハウジングと、透光性ハウジングの下に配置されたディスプレイと、透光性ハウジングの下に位置し、ディスプレイに隣接する容量性タッチ感知インターフェースと、起動ボタンと、ディスプレイ、容量性タッチ感知インターフェース、及び起動ボタンに電気的に結合された電子プロセッサとを含む。
2019524002.tif 000002
【特許請求の範囲】
【請求項１】
ポータブル通信デバイスであって、
透光性ハウジングと、
前記透光性ハウジングの下に配置されたディスプレイと、
前記透光性ハウジングの下に配置された容量性タッチ感知インターフェースであって、前記ディスプレイが、前記容量性タッチ感知インターフェースの真上に、かつ隣接して搭載されている、前記容量性タッチ感知インターフェースと、
起動ボタンと、
前記ディスプレイ、前記容量性タッチ感知インターフェース、及び前記起動ボタンに電気的に結合された電子プロセッサと
を備える、ポータブル通信デバイス。
【請求項２】
前記電子プロセッサは、非アクティブモード及びアクティブモードからなる群のうちの少なくとも１つで動作するように構成され、前記非アクティブモードでは、前記ディスプレイ及び前記容量性タッチ感知インターフェースの照明が停止され、前記アクティブモードでは、前記ディスプレイ及び前記容量性タッチ感知インターフェースが光を生成する、請求項１に記載のポータブル通信デバイス。
【請求項３】
前記電子プロセッサは、前記起動ボタンが押圧されたときに前記アクティブモードに切り替えるように構成されている、請求項２に記載のポータブル通信デバイス。
【請求項４】
前記電子プロセッサが前記アクティブモードである場合、前記電子プロセッサは、前記ディスプレイ上に、テキスト、記号、または図形のうちの少なくとも１つを生成するように構成されている、請求項２に記載のポータブル通信デバイス。
【請求項５】
前記電子プロセッサが前記アクティブモードである場合、前記電子プロセッサは、前記容量性タッチ感知インターフェース上に、制御記号、制御テキスト、または制御図形のうちの少なくとも１つを生成するように構成されている、請求項２に記載のポータブル通信デバイス。
【請求項６】
前記容量性タッチ感知インターフェースは、前記制御記号、前記制御テキスト、または前記制御図形のうちの少なくとも１つを照明するバックライトアセンブリを含む、請求項５に記載のポータブル通信デバイス。
【請求項７】
前記起動ボタンは、トグルボタンであり、前記電子プロセッサは、前記トグルボタンの起動に基づいて、前記ディスプレイ上のテキスト、記号、または図形のうちの少なくとも１つを変更するように構成されている、請求項１に記載のポータブル通信デバイス。
【請求項８】
前記電子プロセッサは、前記容量性タッチ感知インターフェース上の制御記号、制御テキスト、または制御図形を照明するように構成され、前記起動ボタンが押圧されると、前記電子プロセッサは、前記容量性タッチ感知インターフェース上の１つの制御記号、制御テキスト、または制御図形の照明を暗くさせ、異なる制御記号、制御テキスト、または制御図形を照明するように構成されている、請求項１に記載のポータブル通信デバイス。
【請求項９】
前記ポータブル通信デバイスは、トグルボタン、電源ボタン、プログラム可能なボタン、音量調節ボタン、及びプレスツートークボタンを含む、請求項１に記載のポータブル通信デバイス。
【請求項１０】
前記電子プロセッサは、非アクティブモード及びアクティブモードからなる群のうちの少なくとも１つで動作するように構成され、前記トグルボタン、前記電源ボタン、前記プログラム可能なボタン、前記音量調節ボタン、及び前記プレスツートークボタンのうちのいずれかが押圧されると、前記電子プロセッサを前記アクティブモードで動作させることができる、請求項９に記載のポータブル通信デバイス。
【請求項１１】
前記透光性ハウジングは、相互に結合された前方ハウジング部分、及び後方ハウジング部分を含み、前記前方ハウジング部分のみが透光性である、請求項１に記載のポータブル通信デバイス。
【請求項１２】
前記透光性ハウジングの下に配置され、前記電子プロセッサに結合された振動子モータをさらに備え、前記電子プロセッサは、前記起動ボタンが押圧された場合に前記振動子モータを起動するように構成されている、請求項１に記載のポータブル通信デバイス。
【請求項１３】
前記透光性ハウジングの下に配置され、前記電子プロセッサに結合されたスピーカをさらに備え、前記電子プロセッサは、前記起動ボタンが押圧された場合に前記スピーカを起動するように構成されている、請求項１に記載のポータブル通信デバイス。
【請求項１４】
前記透光性ハウジングの下に配置され、前記電子プロセッサに結合された近接センサをさらに備え、前記近接センサは、前記デバイスと物体との間の距離を感知するように構成されている、請求項１に記載のポータブル通信デバイス。
【請求項１５】
前記電子プロセッサは、非アクティブモード及びアクティブモードからなる群のうちの少なくとも１つで動作するように構成され、前記非アクティブモードでは、前記ディスプレイ及び前記容量性タッチ感知インターフェースの照明が停止され、前記アクティブモードでは、前記ディスプレイ及び前記容量性タッチ感知インターフェースが光を生成し、前記電子プロセッサが前記近接センサからの情報に基づいて前記ポータブル通信デバイスが物体から所定の距離内にあると判定した場合に、前記電子プロセッサは、前記非アクティブモードに切り替えるように構成されている、請求項１４に記載のポータブル通信デバイス。
【請求項１６】
前記ディスプレイは、発光ダイオード、有機発光ダイオード、及び薄膜トランジスタからなる群のうちの少なくとも１つを含む、請求項１に記載のポータブル通信デバイス。
【請求項１７】
前記容量性タッチ感知インターフェースは、発光ダイオード、有機発光ダイオード、及び薄膜トランジスタからなる群のうちの少なくとも１つを含む、請求項１に記載のポータブル通信デバイス。
【請求項１８】
ポータブル通信デバイスであって、
透光性ハウジングと、
前記透光性ハウジングの下に配置された容量性タッチ感知インターフェースであって、前記容量性タッチ感知インターフェース上に制御記号、制御テキスト、または制御図形のうちの少なくとも１つを生成する有機発光ダイオードを有する照明アセンブリを含む、前記容量性タッチ感知インターフェースと、
前記透光性ハウジングに結合された起動ボタンと、
前記透光性ハウジングの下に配置され、前記容量性タッチ感知インターフェースから離間された近接センサと、
前記容量性タッチ感知インターフェース、前記起動ボタン、及び前記近接センサに電気的に結合された電子プロセッサと
を備え、
前記ポータブル通信デバイスは、非アクティブモード及びアクティブモードを含み、前記非アクティブモードでは、前記容量性タッチ感知インターフェースは、前記透光性ハウジングを通して視認可能でなく、前記アクティブモードでは、前記容量性タッチ感知インターフェースは、前記透光性ハウジングを通して視認可能であり、
前記アクティブモードでは、前記電子プロセッサは、前記有機発光ダイオードによって、１つの制御記号、制御テキスト、または制御図形を照明するように構成され、前記起動ボタンが押圧されると、前記電子プロセッサは、前記１つの制御記号、制御テキスト、または制御図形の照明を暗くさせ、異なる制御記号、制御テキスト、または制御図形を照明するように構成されている、ポータブル通信デバイス。
【請求項１９】
前記ハウジングの下に配置され、前記電子プロセッサに結合された振動子モータをさらに備え、前記電子プロセッサは、前記起動ボタンが押圧された場合に前記振動子モータを起動するように構成されている、請求項１８に記載のポータブル通信デバイス。
【請求項２０】
前記ハウジングの下に配置され、前記電子プロセッサに結合されたスピーカをさらに備え、前記電子プロセッサは、前記起動ボタンが押圧された場合に前記スピーカを起動するように構成されている、請求項１８に記載のポータブル通信デバイス。
【請求項２１】
前記ディスプレイ及び前記容量性タッチ感知インターフェースは、両方とも可撓性プリント回路基板に搭載されている、請求項１に記載のポータブル通信デバイス。
【請求項２２】
前記１つの制御記号、制御テキスト、または制御図形は、上向き矢印または下向き矢印であり、前記異なる制御記号、制御テキスト、または制御図形は、単語はい、または単語いいえである、請求項１８に記載のポータブル通信デバイス。
【発明の詳細な説明】
【背景技術】
【０００１】
例えば、双方向無線、陸上移動無線、携帯電話機などのポータブル通信デバイスは、大抵の場合、情報提示及び装置制御のための内蔵ディスプレイを含んでいる。内蔵ディスプレイには、ディスプレイ表示開口部及び物理的ボタンが含まれることが多い。しかしながら、これらの構成は、かさばり、任意の時間に無関係または不必要な情報をユーザに提供し、機能の偶発的な起動または無効化に見舞われる可能性がある。
【図面の簡単な説明】
【０００２】
【図１】一実施形態によるポータブル通信デバイスの斜視図である。
【図２】図１のポータブル通信デバイスの斜視分解図である。
【図３】図１のポータブル通信デバイスの非アクティブモードにおける斜視図である。
【図４】図１のポータブル通信デバイスのアクティブモードにおける斜視図である。
【図５】図１のポータブル通信デバイスのディスプレイ及び容量性タッチ感知インターフェースの部分斜視図であり、第１のメニューオプション及び照明された２つの制御記号を示す図である。
【図６】図４のディスプレイ及び容量性タッチ感知インターフェースの部分斜視図であり、第２のメニューオプション及び照明された２つの制御テキストを示す図である。
【発明を実施するための形態】
【０００３】
同様の参照番号が同一または機能的に同様の要素を示す添付図面は、以下の詳細な説明とともに本明細書に組み込まれ、本明細書の一部を形成し、請求された発明を含む概念の実施形態及びそれらの実施形態の様々な原理及び利点をさらに説明するために用いられる。
【０００４】
当業者であれば、図面の要素は、簡潔かつ明確にすることを目的として示されており、必ずしも縮尺通りに描かれていないことを理解するであろう。例えば、図面のいくつかの要素の寸法は、本発明の実施形態の理解を向上させるのを助けるために、他の要素に対して誇張されている場合がある。
【０００５】
装置及び方法の構成要素は、本開示の恩恵を受ける当業者であれば容易に理解できるような詳細により本開示が不明瞭にならないように、適切な場合には本発明の実施形態を理解することに関連する特定の詳細のみを示す図面の様式化された記号によって表されている。
【０００６】
一実施形態は、透光性ハウジング（translucent housing）と、透光性ハウジングの下に配置されたディスプレイと、透光性ハウジングの下に位置し、ディスプレイに隣接する容量性タッチ感知インターフェース（capacitive touch sensing interface）と、起動ボタン（activation button）と、ディスプレイ、容量性タッチ感知インターフェース、及び起動ボタンに電気的に結合された電子プロセッサとを含むポータブル通信デバイスを提供する。
【０００７】
図１から図６は、ポータブル通信デバイス１０の一例を示す。図示の例では、ポータブル通信デバイス１０は、透光性ハウジング１４を含む。いくつかの実施形態では、透光性ハウジング１４は、ポータブル通信デバイス１０用の筐体（enclosure）を画定する。いくつかの実施形態では、透光性ハウジング１４は、プラスチック製であるが、他の実施形態は異なる材料を含む。図２に示すように、透光性ハウジング１４は、（例えば、接着剤、スナップ嵌め、摩擦係合、または１つまたは複数のファスナで）相互に結合された前方ハウジング部分１８及び後方ハウジング部分２２を含む。図示された実施形態では、前方ハウジング部分１８（またはその一部）のみが透光性であるのに対し、後方ハウジング部分２２は不透明であるが、他の実施形態では異なる構成を含む。本明細書でさらに説明するように、前方ハウジング部分１８（またはその少なくとも一部）は、ポータブル通信デバイス１０内からの光を、前方ハウジング部分１８を介して選択的に透過させることを可能とする。
【０００８】
図２を参照すると、ポータブル通信デバイス１０は、透光性ハウジング１４の下に双方とも配置されたディスプレイ２６及び容量性タッチ感知インターフェース３０をさらに含んでいる。図示された実施形態では、ディスプレイ２６及び容量性タッチ感知インターフェース３０の両方が、プリント回路基板３４に搭載されているが、他の実施形態では、ディスプレイ２６及び容量性タッチ感知インターフェース３０のうちの一方または両方が、可撓性プリント回路または他の電子部品に搭載されている。図２に示すように、ディスプレイは、容量性タッチ感知インターフェース３０の真上に、かつ容量性タッチ感知インターフェース３０に隣接して搭載されている。ディスプレイ２６は、例えば、テキスト、記号、または図形（graphic）の形でユーザに情報を提供し、いくつかの実施形態ではメニューオプションを提供する。ディスプレイ２６は、市販のディスプレイを含む、多数の異なるディスプレイのうちの任意のものとすることができる。容量性タッチ感知インターフェース３０は、サイプレス（Cypress）ＣａｐＳｅｎｓｅ（登録商標）ＭＢＲ３１１６シリーズのような市販の容量性タッチ感知インターフェースを含む、多数の異なる容量性タッチ感知インターフェースのうちの任意のものとすることができる。いくつかの実施形態では、ポータブル通信デバイス１０は、複数のディスプレイ２６及び複数の容量性タッチ感知インターフェース３０のうちの少なくとも一方を含む。
【０００９】
図１及び図４から図６を参照すると、ディスプレイ２６は、光素子（例えば、発光ダイオード（ＬＥＤ）、有機発光ダイオード（ＯＬＥＤ）、薄膜トランジスタ（ＴＦＴ）または他の照明素子）を用いてディスプレイ２６上のテキスト、記号、または図形のうちの少なくとも１つを照明する。テキスト、記号、及び図形のうちの少なくとも１つが照明されている場合、テキスト、記号、及び図形のうちの少なくとも１つは、透光性ハウジング１４（例えば、前方ハウジング部分１８）を通して視認可能である。
【００１０】
図２を参照すると、容量性タッチ感知インターフェース３０は、容量性タッチバックライトアセンブリ３８を含んでいる。容量性タッチバックライトアセンブリ３８は、光素子（例えば、発光ダイオード（ＬＥＤ）、有機発光ダイオード（ＯＬＥＤ）、薄膜トランジスタ（ＴＦＴ）、または他の照明素子）を用いて、容量性タッチ感知インターフェース３０上の制御記号、制御テキスト、または制御図形のうちの少なくとも１つを照明する。制御記号、制御テキスト、及び制御図形のうちの少なくとも１つが照明されている場合、制御テキスト、制御記号、及び制御図形のうちの少なくとも１つは、透光性ハウジング１４（たとえば前方ハウジング部分１８）を通して視認可能であり、それにより、視認可能なディスプレイに関連付けられた視認可能な制御のセットをユーザに提供する。
【００１１】
図１を参照すると、ポータブル通信デバイス１０は、少なくとも１つの起動ボタンをさらに含んでいる。図示の実施形態では、ポータブル通信デバイス１０は、電源ボタン４２、トグルボタン４６、第１のプログラム可能なボタン５０、プレスツートークボタン５４、音量調節ボタン５８、及び第２のプログラム可能なボタン６２の形で複数の起動ボタンを含んでいる。図示された起動ボタンの各々は、ポータブル通信デバイス１０の上部領域６６または側部領域７０のいずれかに沿って（例えば、前方ハウジング部分１８と後方ハウジング部分２２との間の境界に沿って）配置されている。他の構成では、図示されたものと異なる数またはタイプの起動ボタン、ならびに起動ボタンの異なる位置が提供される。
【００１２】
図２を参照すると、ポータブル通信デバイス１０は、電子プロセッサ７４（概略的に図示）をさらに含んでいる。電子プロセッサ７４は、ディスプレイ２６、容量性タッチ感知インターフェース３０、及び複数の起動ボタン４２、４６、５０、５４、５８、及び６２の各々に電気的に結合されている。いくつかの実施形態では、電子プロセッサ７４は、プリント回路基板３４に搭載されているか、さもなければプリント回路基板３４の一部を形成している。電子プロセッサ７４は、市販のプロセッサを含む多数の異なる電子プロセッサのうちの任意のものとすることができる。
【００１３】
電子プロセッサ７４は、非アクティブモードまたはアクティブモードのいずれかで動作するように構成されている。例えば、図３を参照すると、非アクティブモードでは、ディスプレイ２６及び容量性タッチ感知インターフェース３０の照明が停止され、前方ハウジング部分１８は後方ハウジング部分２２と同様に不透明に見える。非アクティブモードでは、したがって、ディスプレイ２６及び容量性タッチ感知インターフェース３０は隠されている。図４を参照すると、アクティブモードでは、電子プロセッサ７４は、光を生成してディスプレイ２６及び容量性タッチ感知インターフェース３０を照明するように構成され、少なくとも１つの記号、テキスト、または図形が、ディスプレイ２６上で透光性ハウジング１４を通して視認可能であり（例えば、図４に示すように「チャンネル１」及び「グループ１」と表示されたテキスト）、少なくとも１つの制御記号、制御テキスト、または制御図形が、容量性タッチ感知インターフェース３０上で透光性ハウジング１４を通して視認可能である（例えば、図４に示すように、「上向き」及び「下向き」の矢印のセット及び「はい」及び「いいえ」と表示されたテキスト）。
【００１４】
図１を参照すると、図示の実施形態では、電子プロセッサ７４は、複数の起動ボタン４２、４６、５０、５４、５８、６２のいずれかが押された場合に、非アクティブモードからアクティブモードに切り替わるように構成されている。したがって、ディスプレイ２６上のテキスト、記号、及び図形のうちの少なくとも１つの初期セットを照明し、容量性タッチ感知インターフェース３０上の制御テキスト、制御記号、及び制御図形のうちの少なくとも１つの初期セットを照明するために、ユーザは、複数の起動ボタン４２、４６、５０、５４、５８、６２のいずれかを単に押すだけでよい。いくつかの実施形態では、電子プロセッサ７４は、さらに、または代替的に、プッシュツートークコールがポータブル通信デバイス１０によって受信された場合に、非アクティブモードからアクティブモードに切り替えるように構成されている。
【００１５】
図１及び図４から図６を参照すると、アクティブモードは異なる設定を含んでいる。各設定において、ディスプレイ２６上にテキスト、記号、及び図形のうちの少なくとも１つの異なるセットが表示され、容量性タッチ感知インターフェース３０上に制御テキスト、制御記号、及び制御図形のうちの少なくとも１つの異なるセットが表示されている。使用中、ユーザは、アクティブモードにおいて異なる設定を切り替えることを望む可能性がある。例えば、図５に示すように、ディスプレイ２６は、「ボリューム制御」のテキストを示し、容量性タッチ感知インターフェース３０は、「上向き」矢印及び「下向き」矢印の形態の制御記号を示す。この設定では、ユーザは、「上向き」制御記号を押圧して、ポータブル通信デバイス１０上の音量を増加させるか、または「下向き」矢印を押して、ポータブル通信デバイス１０上の音量を減少させることができる。容量性タッチ感知インターフェース３０は、透光性ハウジング１４上のユーザの指の接触を感知する。したがって、透光性ハウジング１４の「上向き」矢印が照明されている場所に単に接触することによって、電子プロセッサ７４はタッチを認識し、スピーカ７８（図２）と通信して音量を増加させる。
【００１６】
ユーザがポータブル通信デバイス１０の異なる機能を制御したい場合、ユーザはトグルボタン４６を押圧することができる。トグルボタン４６が押圧されると、ディスプレイ２６上にテキスト、記号、及び図形のうちの少なくとも１つの異なるセットが表示され、容量性タッチ感知インターフェース３０上に制御テキスト、制御記号、及び制御図形のうちの少なくとも１つの異なるセットが表示される。各設定について、制御テキスト、制御記号、及び制御図形の少なくとも１つのうちの必要なもののみが容量性タッチ感知インターフェース３０上に表示される。制御テキスト、制御シンボル、及び制御図形の少なくとも１つのうちの不要なものは照明が暗くされ、視認できない。例えば、図５を参照すると、「上向き」矢印及び「下向き」矢印のみが、音量調節のために必要とされる。したがって、図６に示す「はい」及び「いいえ」の制御テキストは照明が暗く（減光）されている。同様に、図６では、「はい」及び「いいえ」の制御テキストのみが必要である。したがって、図５に示される「上向き」矢印及び「下向き」矢印は、照明が暗く（減光）されている。
【００１７】
図６を参照すると、いくつかの実施形態では、ディスプレイ２６は、「コール応答？」のテキストを表示し、容量性タッチ感知インターフェース３０は、制御テキストを「はい」及び「いいえ」の形で表示している。この設定は、トグルボタン４６の押圧ではなく、着信のみに基づいて電子プロセッサ７４によって起動されてもよい。いくつかの実施形態では、トグルボタン４６の押圧ではなく、電源ボタン４２、第１のプログラム可能なボタン５０、プレスツートークボタン５４、音量調節ボタン５８、または第２のプログラム可能なボタン６２の押圧により、他の設定が起動され得る。加えて、いくつかの実施形態では、ユーザの指で容量性タッチ感知インターフェース３０上の制御テキスト、制御記号、及び制御図形のうちの少なくとも１つにタッチすることによって設定が変更され、制御テキスト、制御記号、及び制御図形のうちの少なくとも１つの異なるセットが容量性タッチ感知インターフェース３０上に表示されるか、またはテキスト、記号、及び図形のうちの少なくとも１つの異なるセットがディスプレイ２６上に表示されるか、またはその両方となる。さらに、図１から図６にはいくつかの異なるタイプの設定のみが示されているが、いくつかの実施形態では、ユーザがポータブル通信デバイス１０をオフにし、ディスプレイ２６の明るさを調整し、他の機能を実行することを可能とする設定を含む、異なる設定が含まれている。
【００１８】
図２を参照すると、ユーザが設定を切り替えた場合、または容量性タッチ感知インターフェース上の制御テキスト、制御記号、及び制御図形のうちの少なくとも１つに接触した場合、またはその両方の場合、ポータブル通信デバイス１０は、いくつかの実施形態では、触覚フィードバックをユーザに提供する少なくとも１つの触覚素子（haptic element）をさらに含む。図示の実施形態では、触覚素子は、透光性ハウジング１４の下に配置された振動子８２である。振動子８２は、それ自体のモータを含み、電子プロセッサ７４に電気的に結合されている。電子プロセッサ７４は、ユーザが起動ボタンのうちの１つ（例えば、トグルボタン４６）を押圧すると、振動子８２を起動させて振動させ、設定が切り替えられたことをユーザに知らせ、かつ容量性タッチ感知インターフェース３０上に制御テキスト、制御記号、及び制御図形のうちの少なくとも１つの異なるセットが現れたこと、及びディスプレイ２６上にテキスト、記号、及び図形のうちの少なくとも１つの異なるセットが表示されたことのうちの少なくとも一方をユーザに知らせるフィードバックをユーザに提供する。いくつかの実施形態では、容量性タッチ感知インターフェース３０上の制御テキスト、制御記号、及び制御図形のうちの少なくとも１つにユーザが（例えば、指で）接触すると、電子プロセッサ７４は、振動子８２を振動させ、ユーザにフィードバックを提供する。いくつかの実施形態では、振動子８２を振動させるのではなく、電子プロセッサ７４はスピーカ７８と通信してスピーカ７８を起動させて１つまたは複数の音（例えば、ビープ音）を発生させ、ユーザにフィードバックを提供する。いくつかの実施形態では、電子プロセッサ７４は、スピーカ７８及び振動子８２の両方と通信して、ユーザにフィードバックを提供する。他の実施形態は、フィードバックを提供するために、示されたもののとは異なる触覚素子の使用を含む。
【００１９】
図２を参照すると、ポータブル通信デバイス１０は、近接センサ８６をさらに含んでいる。近接センサ８６は、透光性ハウジング１４の下に配置され、電子プロセッサ７４に電気的に結合されている。近接センサ８６は、ポータブル通信デバイス１０が物体の所定の距離（例えば、１インチ（２．５４ｃｍ）、３インチ（７．６２ｃｍ）、６インチ（１５．２４ｃｍ）、または他の別の距離）内にあるかどうかを感知する。例えば、図示された実施形態では、近接センサは、ポータブル通信デバイス１０のイヤーピース９０に隣接して配置されているので、近接センサ８６は、イヤーピース９０がユーザの耳に近すぎる場合を検出する。近接センサ８６は、例えば、赤外線センサ、誘導型センサ、容量性センサ、光電センサ、超音波センサ、または任意の他のタイプの近接センサとすることができる。ポータブル通信デバイス１０が所定の距離内にあることを近接センサ８６が感知し、電子プロセッサ７４が判定すると、電子プロセッサ７４は、非アクティブモードに切り替え、容量性タッチ感知インターフェース上に現れる制御テキスト、制御記号、及び制御図形の少なくとも一つと、ディスプレイ２６上に現れるテキスト、記号、及び図形の少なくとも一つとのうちの少なくとも一方の照明を暗くするように構成されている。これは、例えば、ユーザがポータブル通信デバイス１０、より具体的にはポータブル通信デバイス１０のイヤーピース９０（図２）をユーザの耳に近づけ過ぎて、誤って容量性タッチ感知インターフェース３０をユーザの体に押し付け、その結果、設定を切り替えたり、ポータブル通信デバイス１０をオフにしたり、ポータブル通信デバイス１０に望ましくない機能を実行させたり、またはそうでなければ誤った起動を引き起こしたりする可能性を低減させる。
【００２０】
図２を参照すると、図示された実施形態では、ポータブル通信デバイス１０は、アンテナ９４と、透光性ハウジング１４の下に配置されたバッテリセルの形態の電源９８とをさらに含んでいる。いくつかの実施形態では、電源９８は、デバイス電源コネクタ（図示せず）を介して再充電可能である。アンテナ９４及び電源９８は、共に電子プロセッサ７４に電気的に結合されている。他の実施形態は、示されたものとは異なる種類のアンテナ及び電源、ならびにアンテナ９４及び電源９８の示されたものとは異なる場所を含む。
【００２１】
前述の明細書では、特定の実施形態について説明した。しかしながら、当業者であれば、以下の特許請求の範囲に記載された本発明の範囲から逸脱することなく、様々な修正及び変更を行うことができることを理解することが可能である。したがって、明細書及び図面は、限定的な意味ではなく例示的な意味で考慮されるべきであり、そのような変更のすべては、本教示の範囲内に含まれることが意図されている。
【００２２】
メリット、利点、問題への解決策、及びメリット、利点、または解決策を発生させる可能性がある任意の要素（複数可）は、いずれかまたは全ての請求項の重要な、必須の、または不可欠な特徴または要素と解釈されるべきではない。本発明は、本出願の係属中になされた任意の補正を含む添付の請求の範囲及び発行された請求の範囲の全ての均等物によってのみ定義される。
【００２３】
さらに、本明細書では、第１及び第２、上部及び下部などの関係用語は、ある実体または動作を別の実体または動作と区別するためにのみ使用されてもよく、そのような実体または動作の間の実際のそのような関係または順序を必ずしも必要としない。「備える」、「備えている」、「有する」、「有している」、「含む」、「含んでいる」、「包含する」、「包含している」などの用語、またはこれらの任意の他の変化形は、非排他的な包含を対象とすることを意図しており、要素のリストを備え、有し、含み、包含するプロセス、方法、物品、または装置は、それらの要素のみを含むのではなく、明示的に列挙されていないかまたはそのプロセス、方法、物品、または装置に固有の他の要素を含み得る。「〜を備える」、「〜を有する」、「〜を含む」、または「〜を包含する」と記載される要素は、それ以上の制約なしに、その要素を備える、有する、含む、含有するプロセス、方法、物品または装置におけるさらなる同一の要素の存在を排除するものではない。「実質的に」、「本質的に」、「およそ」、「約」などの用語、またはその任意の他のバージョンは、当業者によって理解されるものに近いものとして定義され、１つの非限定的な実施形態において、この用語は、１０％以内、別の実施形態では５％以内、別の実施形態では１％以内、別の実施形態では０．５％以内であると定義される。本明細書で使用される「結合された」という用語は、必ずしも直接的ではなく必ずしも機械的にではないが、接続されたものとして定義される。特定の方法で「構成された」デバイスまたは構造体は、少なくともその方法で構成されているが、記載されていない方法で構成することも可能である。
【００２４】
いくつかの実施形態は、マイクロプロセッサ、デジタル信号プロセッサ、カスタマイズされたプロセッサ及びフィールドプログラマブルゲートアレイ（ＦＰＧＡ）及び独自の格納されたプログラム命令（ソフトウェア及びファームウェアの両方を含む）のような１つまたは複数の汎用または専用プロセッサ（または「処理デバイス」）からなり、これらは、１つまたは複数のプロセッサを制御して、本明細書で説明される方法及び装置のうちの少なくとも一方の機能のいくつか、大部分、またはすべてを、特定の非プロセッサ回路を併用して実装することが理解されよう。あるいは、機能のいくつかまたはすべてが、格納されたプログラム命令をもたない状態機械によって、または、各機能または機能のいくつかの組み合わせがカスタムロジックとして実装される１つまたは複数の特定用途向け集積回路（ＡＳＩＣ）によって実装されることが可能である。もちろん、２つのアプローチを組み合わせて使用することも可能である。
【００２５】
さらに、一実施形態は、本明細書に記載され請求される方法を実行するようにコンピュータ（例えば、プロセッサを含む）をプログラミングするためのコンピュータ可読コードを記憶したコンピュータ可読記憶媒体として実装することができる。そのようなコンピュータ可読記憶媒体の例には、ハードディスク、ＣＤ−ＲＯＭ、光学記憶デバイス、磁気記憶デバイス、ＲＯＭ（読み取り専用メモリ）、ＰＲＯＭ（プログラム可能な読み取り専用メモリ）、ＥＰＲＯＭ（消去可能なプログラム可能読み取り専用メモリ）、ＥＥＰＲＯＭ（電気的に消去可能なプログラム可能読み取り専用メモリ）、及びフラッシュメモリが含まれるが、これに限定されない。さらに、当業者は、本明細書に開示された概念及び原理によって導かれる場合、できる限りの大きな努力及び例えば利用可能な時間、現在の技術、及び経済的な考慮事項によって動機付けられる多くの設計選択にもかかわらず、最小限の実験でこのようなソフトウェア命令及びプログラム及びＩＣを容易に生成することが可能であると予期される。
【００２６】
開示の要約は、読者が技術的開示の性質を迅速に確認できるようにするために提供される。これは、請求の範囲または意味を解釈または制限するために使用されないことを理解して提出されるものである。さらに、上記の詳細な説明では、本開示を合理化する目的で、さまざまな実施形態において様々な特徴がまとめられていることが分かる。この開示の方法は、請求された実施形態が各請求項に明示的に記載されたより多くの特徴を必要とするという意図を反映するものとして解釈されるべきではない。むしろ、以下の特許請求の範囲が反映するように、発明の主題は、単一の開示された実施形態のすべての特徴よりも少ないものである。したがって、以下の特許請求の範囲は、発明の詳細な説明に組み込まれ、各請求項は、別々に請求される主題として独立するものである。
【図１】
2019524002.tif 000003
【図２】
2019524002.tif 000004
【図３】
2019524002.tif 000005
【図４】
2019524002.tif 000006
【図５】
2019524002.tif 000007
【図６】
2019524002.tif 000008
【国際調査報告】
2019524002.tif 000009
2019524002.tif 000010
2019524002.tif 000011